(57)【要約】【課題】横長の大開口窓を設置することができる建物ユニットを得る。【解決手段】建物ユニット３０ａは基礎ユニット３１を備え、その基礎ユニット３１には天井側張出し梁５１，床側張出し梁６１及び外装材７１が設けられている。外装材７１を連結する張出し梁５１，６１は基礎ユニット３１に片持ち支持されているため、外装材７１の屋内側に柱や梁が存在しない状態となる。このような建物ユニットを複数連結して建物が構成されれば、柱や梁の存在しない外壁面を形成することが可能となる。そして、その外壁面に、各建物ユニットにまたがる横長の大開口領域を形成すれば、その大開口領域を利用して横長の大開口窓を設置することができる。【選択図】図１
2009084912.tif 000002
【特許請求の範囲】
【請求項１】
天井梁、床梁、並びにこれら天井梁及び床梁の間を連結する柱を有し、全体として直方体状に形成されている基礎ユニットと、
前記基礎ユニットの天井梁近傍に片持ち支持された天井側張出し梁と、
前記基礎ユニットの床梁近傍に片持ち支持された床側張出し梁と、
前記天井側張出し梁及び床側張出し梁の張出し先端側に連結され、建物の屋内外を仕切る外装材と、
を備えていることを特徴とする建物ユニット。
【請求項２】
前記天井側張出し梁は、
前記基礎ユニットの天井梁近傍に片持ち支持され、そこから屋外側へ延びる複数の天井側片持ち梁と、
前記複数の天井側片持ち梁の自由端同士を連結する天井側連結梁と、
を備え、
前記床側張出し梁は、
前記基礎ユニットの床梁近傍に片持ち支持され、そこから屋外側へ延びる複数の床側片持ち梁と、
前記複数の床側片持ち梁の自由端同士を連結する床側連結梁と、
を備えている請求項１に記載の建物ユニット。
【請求項３】
前記外装材は、上辺部が前記天井側連結梁に連結されているとともに、下辺部が前記床側連結梁に連結されている請求項１又は２に記載の建物ユニット。
【請求項４】
前記天井側張出し梁及び床側張出し梁には、これら両張出し梁の先端側同士を仮固定する仮柱が着脱自在に固定される固定部を有する請求項１乃至３のいずれかに１項に記載の建物ユニット。
【請求項５】
請求項１乃至４のいずれか１項に記載の建物ユニットを複数用い、隣接する建物ユニット同士を連結して構成されていることを特徴とするユニット式建物。
【請求項６】
屋根構造体を有し、当該屋根構造体に前記天井側張出し梁が連結されてなる請求項５に記載のユニット式建物。
【請求項７】
前記外装材は、幅方向の少なくとも一方に貫通する開口領域を有し、当該開口領域は、隣接する建物ユニットの開口領域と幅方向に連なって形成された単一の開口部が形成されている請求項５又は６に記載のユニット式建物。
【発明の詳細な説明】
【技術分野】
【０００１】
本発明は、建物ユニット及びそれを連結して構成されるユニット式建物に関する。
【背景技術】
【０００２】
従来から、住宅等の建物を構成する建物ユニットの存在が知られている。建物ユニットは全体として直方体状に形成され、長方形状をなす天井梁及び床梁、並びにその両者を四隅で連結する柱を有している。また、建物の間取りプランのバリエーションを増やすべく、基本ユニットと同様に天井梁、床梁及び柱を有するものの、その基本ユニットとは桁幅や桁行きが異なる直方体状に形成されたサブユニットの存在も知られている（例えば、特許文献１参照）。
【０００３】
そして、上記建物ユニット及びサブユニットが建物の間取りプランに応じて複数用意され、それらが連結されてユニット式建物が構成される。
【特許文献１】特開平４−１４３３４３号公報
【発明の開示】
【発明が解決しようとする課題】
【０００４】
ところで、建物には窓が設置されるが、その窓の大きさにも多くのバリエーションがある。そして、その中には、横幅を広くして採光性や眺望性を高めた大開口窓もある。このような大開口窓を所望の位置に設置することが可能となれば、ワイドビューの実現につながり、施主のニーズにも応えることができる。
【０００５】
しかしながら、建物ユニットやサブユニットで構成される従来のユニット式建物では、特に建物ユニットの短辺側やサブユニットが連結されて形成された外壁部に、横長の大開口窓を設置することは建物の構造上困難である。なぜなら、建物ユニットやサブユニットの柱が外壁面の内側に配置されているため、隣接する柱同士の間隔よりも長い横幅を有する大開口窓を設置しようとすると、その柱が障害となってしまうからである。
【０００６】
また、複数の建物ユニットを連結して構成されるユニット式建物では、柱同士の間隔を広げるために柱の位置を変更したり、柱を省略したりすることも構造上又は強度上困難であるといえる。
【０００７】
本発明は、このような課題に鑑みてなされたものであり、横長の大開口窓を設置することができる建物ユニット、及びその建物ユニットを連結して構成されたユニット式建物を提供することを主たる目的とする。
【課題を解決するための手段】
【０００８】
本発明は、上記課題を解決するために、以下の手段を採用した。
【０００９】
すなわち、第１の発明の建物ユニットでは、天井梁、床梁、並びにこれら天井梁及び床梁の間を連結する柱を有し、全体として直方体状に形成されている基礎ユニットと、前記基礎ユニットの天井梁近傍に片持ち支持された天井側張出し梁と、前記基礎ユニットの床梁近傍に片持ち支持された床側張出し梁と、前記天井側張出し梁及び床側張出し梁の張出し先端側に連結され、建物の屋内外を仕切る外装材とを備えていることを特徴とする。
【００１０】
この第１の発明によれば、建物ユニットを連結すると、天井側張出し梁及び床側張出し梁に連結された外装材によって建物の外壁面が形成される。そして、天井側張出し梁及び床側張出し梁は基礎ユニットに片持ち支持されているため、この張出し梁に連結された前記外装材の屋内側には柱が存在しない状態となる。そのため、この外装材に窓設置用の開口領域を形成すれば、柱の制約を受けず横長の大開口窓を設置することが可能となる。
【００１１】
前記天井側張出し梁及び床側張出し梁は前記外装材を支持するものであるから、具体的には次のように構成されることが好ましい。すなわち、前記天井側張出し梁は、前記基礎ユニットの天井梁近傍に片持ち支持され、そこから屋外側へ延びる複数の天井側片持ち梁と、前記複数の天井側片持ち梁の自由端同士を連結する天井側連結梁とを備えていることが好ましい。また、前記床側張出し梁は、前記基礎ユニットの床梁近傍に片持ち支持され、そこから屋外側へ延びる複数の床側片持ち梁と、前記複数の床側片持ち梁の自由端同士を連結する床側連結梁とを備えていることが好ましい。これにより、外装材の支持を確実に行うことができる。
【００１２】
前記外装材は、上辺部が前記天井側連結梁に連結されているとともに、下辺部が前記床側連結梁に連結されていることが好ましい。これにより、外装材の上辺部及び下辺部を除いた両者の中間部に連結梁が存在しないため、横長の大開口窓を設置するための開口領域を確保することができる。
【００１３】
前記天井側張出し梁及び床側張出し梁には、これら両張出し梁の先端側同士を仮固定する仮柱が着脱自在に固定される固定部を有することが好ましい。前記天井側張出し梁及び床側張出し梁はいずれも基礎ユニットに対して片持ち支持されており、張出し先端側が自由端となっている。このため、建物ユニットの搬送や据付に際して撓みが生じ、工場生産時に確保された寸法精度を維持できなくなるおそれがある。そこで、建物ユニットの据付終了まで固定部に仮柱を仮固定しておけば撓みの発生を回避することができ、工場出荷時の寸法精度を維持することができる。
【００１４】
なお、固定部は、ユニット式建物を構築する際、隣接する建物ユニット同士の連結部として兼用されることが好ましい。これにより、天井側張出し梁及び床側張出し梁の強度を高めることができる。
【００１５】
また、第２の発明は、上記建物ユニットを複数用い、隣接する建物ユニット同士を連結してユニット式建物を構成することを特徴としている。これにより、横長の大開口窓を設置することが可能なユニット式建物を得ることができる。
【００１６】
この第２の発明のユニット式建物では、屋根構造体を有し、当該屋根構造体に前記天井側張出し梁が連結されていることが好ましい。これにより、建物ユニットの前記天井側張出し梁が屋根構造体に吊下げ支持された状態となる。そのため、天井側張出し梁及び床側張出し梁によって形成された構造体の強度を向上させることができるし、また、天井側張出し部分の荷重を床側張出し部分に伝達されないようにすることもできる。
【００１７】
この場合、自由端となっている天井側張出し梁の張出し先端部に屋根構造体が連結されれば、構造体としての強度向上や荷重伝達防止といった前述の効果がより一層顕著なものとなる。
【００１８】
前記外装材は、幅方向の少なくとも一方に貫通する開口領域を有し、当該開口領域は、隣接する建物ユニットの開口領域と幅方向に連なって形成された単一の開口部が形成されていることが好ましい。これにより、その単一の開口部に横長の大開口窓を設置することができる。
【発明を実施するための最良の形態】
【００１９】
以下に、一実施の形態について図面を参照しつつ説明する。
【００２０】
最初に、ユニット式建物の全体構成を図６に基づいて簡単に説明する。なお、図６はユニット式建物の概要を示す斜視図である。
【００２１】
図６に示すように、ユニット式建物１０は、建物本体１１と、この建物本体１１の上方に配設される屋根１２とにより構成されている。建物本体１１は基本部分２１と、基本部分２１から屋外側へ張出して屋内空間が拡張される張出し部２２とを備えている。張出し部２２の外壁面には、開口部として、幅方向全域にわたる横長の大開口領域２３が設けられている。
【００２２】
建物本体１１は複数の建物ユニット３０が連結されてなる。各建物ユニット３０は全体として直方体状に形成されており、本実施の形態では３つの建物ユニット３０が横並びとなるように長辺側同士が突き合わされて互いに連結されている。各建物ユニット３０は連結された場合の配置にしたがって区別されている。長辺側の両側で他の建物ユニット３０と連結される中間建物ユニット３０ａと、長辺側の片側でのみ他の建物ユニットと連結される外側建物ユニット３０ｂ，３０ｃである。
【００２３】
ここで、説明の便宜上、外側建物ユニット３０ｂ，３０ｃについては、大開口領域２３の正面視してその左側を左端建物ユニット３０ｂとし、右側を右端建物ユニット３０ｃとする。そして、以下の説明では、正面、側面及び左右とはこの大開口領域２３の正面視を基準とした場合をいうものとする。
【００２４】
次に、建物ユニット３０を図１乃至図３に基づいて説明する。なお、図１は中間建物ユニットを示す分解斜視図であり、図２は左端建物ユニットを示す斜視図、図３は右端建物ユニットを示す斜視図である。
【００２５】
図１〜図３に示すように、各建物ユニット３０ａ〜３０ｃは基礎ユニット３１を備えている。基礎ユニット３１は、各建物ユニット３０ａ〜３０ｃが連結されて建物本体１１が構成されると前記基本部分２１となる。基礎ユニット３１は全体として直方体状に形成され、周知の建物ユニットと同様、天井梁４１、床梁４２、及びこれらを連結する柱４３を備えている。これら天井梁４１、床梁４２及び柱４３は溝形鋼により形成されている。
【００２６】
基礎ユニット３１の短辺側には、張出しユニット３２が設けられている。張出しユニット３２は建物本体１１が構成されると前記張出し部２２となる。張出しユニット３２は基礎ユニット３１の天井梁４１近傍に設けられた天井側張出し梁５１と、床梁４２近傍に設けられた床側張出し梁６１とを備えている。
【００２７】
天井側張出し梁５１は天井側片持ち梁５２及び天井側連結梁５３を有し、基礎ユニット３１に対して片持ち支持されている。天井側片持ち梁５２は基礎ユニット３１の短辺側となる一対の柱４３ごとに一本ずつ同じ高さ位置で設けられ、その柱４３の天井梁４１近傍で屋外側へ延びるように片持ち支持されている。両天井側片持ち梁５２の自由端（張出し先端部）同士は天井側連結梁５３によって連結されている。
【００２８】
床側張出し梁６１は床側片持ち梁６２及び床側連結梁６３を有し、基礎ユニット３１に対して片持ち支持されている。床側片持ち梁６２は基礎ユニット３１の短辺側となる一対の柱４３ごとに一本ずつ同じ高さ位置で設けられ、その柱４３の床梁４２近傍で屋外側へ延びるように片持ち支持されている。両床側片持ち梁６２の自由端（張出し先端部）同士は床側連結梁６３によって連結されている。
【００２９】
なお、天井側及び床側にそれぞれ設けられた片持ち梁５２，６２及び連結梁５３，６３は、基礎ユニット３１の天井梁４１等と同様、溝形鋼により形成されている。
【００３０】
前記天井側連結梁５３及び前記床側連結梁６３には、外装材７１〜７３が連結されている。外装材７１〜７３は、その上辺部７１ａ，７２ａ，７３ａが天井側連結梁５３に連結され、下辺部７１ｂ，７２ｂ，７３ｂが床側連結梁６３に連結されている。このため、上辺部７１ａ〜７３ａ及び下辺部７１ｂ〜７３ｂを除いた中間部７１ｃ，７２ｃ，７３ｃにはその屋内側に柱や梁が存在しない状態となる。
【００３１】
外装材７１〜７３の中間部７１ｃ〜７３ｃには、幅方向のいずれか一方が貫通する開口領域７６，７７，７８が形成されている。このうち、幅方向の両方が貫通した開口領域７６を有し、上下に分割されているのが中間外装材７１であり、中間建物ユニット３０ａに設けられている（図１参照）。また、正面視において左側が貫通している開口領域７７を有するのが左側外装材７２であり、左端建物ユニット３０ｂに設けられている（図２参照）。また、右側が貫通している開口領域７８を有するのが右側外装材７３であり、右端建物ユニット３０ｃに設けられている（図３参照）。
【００３２】
なお、図２及び図３に示すように、左端建物ユニット３０ｂ及び右端建物ユニット３０ｃには、基礎ユニット３１及び張出しユニット３２の非連結側にも外装材７４が設けられている。この場合、外装材７４は左端建物ユニット３０ｂであれば左側面に、右端建物ユニット３０ｃであれば右側面に設けられている。
【００３３】
以上のように構成された中間建物ユニット３０ａ、左端建物ユニット３０ｂ及び右端建物ユニット３０ｃを連結して建物本体１１が構成されると、外装材７１〜７３の中間部に形成された開口領域７６〜７８によって、建物本体１１には各建物ユニット３０ａ〜３０ｃにまたがる横長の大開口領域２３が形成される。大開口領域２３の屋内側には柱や梁が存在しないため、この大開口領域２３を利用して横長の大開口窓を設置することが可能となる。
【００３４】
次に、天井側連結梁５３及び床側連結梁６３に外装材７１〜７３を連結する構成を、図４に基づいて説明する。説明に際しては、最初に左側外装材７２及び右側外装材７３の連結構成を説明する。この場合、いずれの外装材についても連結構成は同じであるから、左側外装材７２を例として説明する。中間外装材７１の連結構成はその後で説明する。なお、図４は連結梁に外装材を連結する様子を示す説明図であり、天井側連結梁及び床側連結梁の縦断面を拡大して示している。
【００３５】
図４に示すように、溝形鋼により形成された天井側連結梁５３は横断面がコ字状をなし、溝が内向きとなるように設けられている。天井側連結梁５３の上フランジ５４には、補助プレート８１が設けられている。補助プレート８１は天井側連結梁５３の延びる方向に沿って長尺状に形成されている。補助プレート８１は天井側連結梁５３の上フランジ５４よりも幅広の平板部８２と、平板部８２の端部が折り曲げ形成された立ち上がり部８３とを備え、その横断面はＬ字状をなしている。そして、立ち上がり部８３が下向きとなるようにして平板部８２が上フランジ５４の上面に取り付けられ、立ち上がり部８３と天井側連結梁５３のウエブ５５との間に取付溝８４が形成されている。天井側連結梁５３のウエブ５５には、上下方向に延びる固定用の長孔５６が設けられている。この長孔５６は、天井側連結梁５３の延びる方向に沿って等間隔に複数設けられている。
【００３６】
同様に溝形鋼により形成された床側連結梁６３は横断面がコ字状をなし、溝が内向きとなるように設けられている。床側連結梁６３の下フランジ６４には支持プレート９１が設けられている。支持プレート９１は床側連結梁６３の延びる方向に沿って長尺状に形成されている。支持プレート９１は床側連結梁６３の下フランジ６４よりも幅広の平板部９２と、平板部９２の端部が折り曲げ形成された立ち上がり部９３とを備え、その横断面はＬ字状をなしている。そして、立ち上がり部９３が上向きとなるようにして平板部９２が下フランジ６４の下面に取り付けられ、立ち上がり部９３と床側連結梁６３のウエブ６５との間に支持溝９４が形成されている。床側連結梁６３のウエブ６５には固定孔６６が設けられている。この固定孔６６は、床側連結梁５３の延びる方向に沿って等間隔に複数設けられている。
【００３７】
一方、左側外装材７２側は、その外装材７２の裏側（屋内側）に下地枠１０２が設けられ、その下地枠１０２と外装材７２とで外装パネル１０１が構成されている。下地枠１０２は外装材７２よりも小さく形成され、下地枠１０２の上端及び下端から外装材７２が突出した状態となっている。
【００３８】
下地枠１０２の上端には、その上端面から突出する補助突条１０３が設けられている。補助突条１０３はＬ字状をなすように平板を折り曲げて形成されたもので、その折り曲げられた先端部が外装材７２側に向くように、下地枠１０２の幅方向に沿って設けられている。また、下地枠１０２の下端には、その下端面から突出する被支持突条１０４が設けられている。被支持突条１０４は平板状をなし、下地枠１０２の幅方向に沿って設けられている。そして、被支持突条１０４の下端から補助突条１０３の上端までの高さ（突条高さＨ１）は、支持プレート９１の立ち上がり部９３の上端から前記取付溝８４の底面までの高さ（梁側高さＨ２）よりも若干小さく形成されている。
【００３９】
下地枠１０２には、天井側連結梁５３及び床側連結梁６３に外装パネル１０１が連結された際に、前記長孔５６及び固定孔６６が形成された位置と対応する位置にナット１０５がそれぞれ固定されている。
【００４０】
次に、左側外装材７２を天井側連結梁５３及び床側連結梁６３に連結する手順を説明する。これは引き戸の取付手順に似ている。
【００４１】
最初に、外装パネル１０１の上部を天井側連結梁５３に近づけるようにして、その外装パネル１０１を斜めの状態で保持する。次いで、図４に実線にて示すように、外装パネル１０１を持ち上げながら、補助突条１０３を取付溝８４の奥まで差し込む。その状態を維持したまま外装パネル１０１の下部を床側連結梁６３に近づけた後、被支持突条１０４を支持溝９４に差し込む。このとき、前述した突条高さＨ１と梁側高さＨ２との関係から、補助突条１０３が取付溝８４の奥まで差し込まれていれば、被支持突条１０４が立ち上がり部９３に引っかかることなくそれを支持溝９４に差し込むことが可能となる。その後、ボルト１０６を長孔５６及び固定孔６６を介してナット１０５に結合することで、外装パネル１０１が天井側連結梁５３及び床側連結梁６３に固定される。
【００４２】
以上は左側外装材７２及び右側外装材７３の連結に関する構成であるが、中間外装材７１の連結構成についてもこれとほとんど同様の構成を有している。ただ、中間外装材７１は開口領域７６が形成されることで上下に分割されているために、若干の相違がある。すなわち、前述した下地枠１０２が上下の外装材ごとに設けられ、また、分割された外装材７１がそれぞれ個別に連結されるといった点が異なる程度である。
【００４３】
ここで、上記建物ユニット３０では、天井側張出し梁５１及び床側張出し梁６１の張出し先端側が自由端となっていることにより、搬送や据付作業時に撓みが生じ、工場生産時に確保された寸法精度を維持できなくなるおそれがあるという課題を有する。
【００４４】
このため、図５に示すように、一対の天井側片持ち梁５２及び床側片持ち梁６２の張出し先端部には、仮柱１１２がボルト１１３で仮固定される固定部１１１が設けられている。そして、仮柱１１２を中間建物ユニット３０ａの据付が終了するまで固定部１１１に仮柱１１２を仮固定しておけば、搬送や据付時に撓みが発生することを回避できる。この固定部１１１は、各建物ユニット３０を連結して建物本体１１を構築する際に、隣接する建物ユニット３０同士の連結部として兼用される。
【００４５】
次に、以上のように構成された各建物ユニット３０が連結されて建物本体１１が構成された場合に、その建物本体１１と屋根１２、具体的には屋根１２を形成する屋根構造体１２０との連結構成を図７に基づいて説明する。なお、図７は建物本体と屋根構造体との連結構成を概略的に示す側面図である。
【００４６】
図７に示すように、屋根構造体１２０は建物本体１１の上方に配設されている。屋根構造体１２０は側方からみて全体が略二等辺三角形状に形成されており、そのため屋根１２は棟側から軒側にかけて下方に傾斜する勾配屋根となっている。この屋根構造体１２０は屋根パネル１２１と、屋根パネル１２１を支持するトラス材１２２とを備えている。屋根パネル１２１は屋根材、屋根下地材及び屋根フレーム等によって周知のごとく構成され、また、トラス材も溝形鋼によって構成される周知のものである。
【００４７】
屋根構造体１２０は、屋根パネル１２１が建物本体１１の上端縁部で連結されることでその建物本体１１の上方に設置されている。この屋根パネル１２１の連結に関して、具体的には、屋根構造体１２０の直下にある建物ユニット３０の天井梁４１及び天井側張出し梁５１（より詳細には、天井側片持ち梁５２）の張出し先端部と連結されている。そして、この連結には軒先受け具１３１が用いられ、軒先受け具１３１が屋根パネル１２１及び天井側張出し梁５１の双方にボルト１３２で固定されている。
【００４８】
そして、このように屋根構造体１２０に天井側張出し梁５１が連結されることで、天井側張出し梁５１が屋根構造体１２０に吊下げ支持された状態となる。
【００４９】
以上の構成により、本実施の形態によれば以下に示す有利な効果が得られる。
【００５０】
上記建物ユニット３０を複数連結して建物本体１１を構成すれば、開口領域７６〜７８を有する外装材７１〜７３によって建物本体１１の外壁面が形成される。また、各開口領域７６〜７８が幅方向に連なって、その外壁面には各建物ユニット３０ａ〜３０ｃにまたがる単一の大開口領域２３が形成される。そして、外装材７１〜７３は基礎ユニット３１に片持ち支持された張出し梁５１，６１に連結されているため、大開口領域２３が形成された外壁面の屋内側には柱や梁が存在しない。このため、大開口領域２３を利用して横長の大開口窓を設置することができる。
【００５１】
天井側張出し梁５１及び床側張出し梁６１は、それぞれ基礎ユニット３１に片持ち支持される一対の片持ち梁５２，６２と、その両片持ち梁５２，６２を連結する連結梁５３，６３とで構成されている。このため、張出し梁５１，６１に連結される外装材７１〜７３の支持を確実に行うことができる。
【００５２】
外装材７１〜７３は、その上辺部７１ａ〜７３ａで天井側連結梁５３に連結され、下辺部７１ｂ〜７３ｂで床側連結梁６３に連結されているため、外装材７１〜７３の中間部７１ｃ〜７３ｃに連結梁５３，６３が存在しない。これにより、その中間部７１ｃ〜７３ｃに形成される開口領域７６〜７８の屋内側に梁が存在しない構成を実現できる。
【００５３】
天井側張出し梁５１及び床側張出し梁６１に仮柱１１２を着脱自在とする固定部１１１が設けられているため、据付終了時まで両張出し梁５１，６１の自由端同士を仮柱１１２によって仮固定することが可能となる。これにより、搬送や据付時の振動等によって基礎ユニット３１に片持ち支持された張出し梁５１，６１に撓みが発生することを回避できる。そして、そうすることで、工場出荷時に確保された張出し梁５１，６１の寸法精度を維持することができる。
【００５４】
また、この固定部１１１は、各建物ユニット３０を連結して建物本体１１を構築する際に、隣接する建物ユニット３０同士の連結部として兼用されるため、天井側張出し梁５１及び床側張出し梁６１の強度を高めることができる。
【００５５】
建物本体１１の上方に配設される屋根構造体１２０に天井側張出し梁５１の張出し先端部が連結されているため、天井側張出し梁５１が屋根構造体１２０に吊下げ支持された状態となっている。そのため、張出し部２２を形成する構造体の強度を向上させることができるし、また、天井側張出し側の荷重を床張出し側に伝達されないようにすることもできる。これにより、張出し部２２を支える基礎を設ける必要もなくなる。
【００５６】
また、天井側張出し梁５１と外装材７１〜７３とは、天井側連結梁５３に設けられた長孔５６を介してボルト１０６により固定されている。このようにボルト１０６のネジ部を挿通する孔が長孔５６であると、屋根構造体１２０の荷重が天井側連結梁５３に作用してもそれが外装材７１〜７３に伝達されることを回避できる。これにより、その荷重伝達によって外装材７１〜７３及び大開口領域２３に設置された窓が破壊されてしまうことを防止できる。
【００５７】
なお、以上説明した実施の形態に限らず、例えば以下に別例として示した形態で実施することもできる。
【００５８】
上記実施の形態では、外装材７１〜７３に開口領域７６〜７８を設けて、各建物ユニット３０ａ〜３０ｃが連結されると大開口領域２３が形成されるようにしたが、左右側面に設けられた外装材７４まで開口領域を拡張してもよい。張出し部２２のコーナ部には柱が存在しないことからすれば、開口領域を拡張すればユニット式建物でありながらコーナ窓を設置することができる。なお、コーナ部に独立した開口領域を形成してもよい。
【００５９】
上記実施の形態では、天井側張出し梁５１及び床側張出し梁６１はそれぞれ一対の片持ち梁５２，６２を有しているが、一本の片持ち梁でも３本以上の複数の片持ち梁５２，６２であってもよい。もっとも、片持ち梁５２，６２は外装材７１〜７３を支持している以上、複数の片持ち梁が設けられることが強度確保の点では好ましいといえる。
【００６０】
上記実施の形態では、外装パネル１０１の連結構成として、下地枠１０２の上端に設けられた補助突条１０３を天井側連結梁５３側の取付溝８４に差し込む構成を採用したが、単なるボルト止めだけで連結されるようにしてもよい。この連結構成は特に限定されないのであって、その他にも例えば、連結梁５３側には下向きの棒状突起を設けるとともに、外装パネル１０１には差し込み孔を設けて、その差し込み孔に棒状突起が挿入されるようにして連結してもよい。
【００６１】
上記実施の形態では、基礎ユニット３１の短辺側に張出しユニット３２が設けられているが、長辺側に張出しユニット３２が設けられるようにしてもよい。これにより、基礎ユニット３１の長辺側に張出し部２２を設けることが可能となり、そこに複数の建物ユニット３０にまたがる大開口領域を形成することができる。そうすれば、横長の大開口窓の設置に関する限定要素をさらに少なくすることができる。
【図面の簡単な説明】
【００６２】
【図１】中間建物ユニットを示す分解斜視図。
【図２】左端建物ユニットを示す斜視図。
【図３】右端建物ユニットを示す斜視図。
【図４】連結梁に外装材を連結する様子を示す説明図。
【図５】仮柱が取り付けられた建物ユニットの斜視図。
【図６】ユニット式建物の概要を示す斜視図。
【図７】建物本体と屋根構造体との連結構成を概略的に示す側面図。
【符号の説明】
【００６３】
１０…ユニット式建物、１１…建物本体、２３…大開口領域（開口部）、３０…建物ユニット、３１…基礎ユニット、４１…天井梁、４２…床梁、４３…柱、５１…天井側張出し梁、５２…天井側片持ち梁、５３…天井側連結梁、６１…床側張出し梁、６２…床側片持ち梁、６３…床側連結梁、７１〜７３…外装材、７６〜７８…開口領域、１１１…固定部、１１２…仮柱、１２０…屋根構造体。
【図１】
2009084912.tif 000003
【図２】
2009084912.tif 000004
【図３】
2009084912.tif 000005
【図４】
2009084912.tif 000006
【図５】
2009084912.tif 000007
【図６】
2009084912.tif 000008
【図７】
2009084912.tif 000009